(57)【要約】【課題】  電子マネーと現金が混在する割勘決済において、顧客の望む支払を行うことができる装置を提供する。【解決手段】  各テーブルに電子マネー割勘装置を設ける。そして、合計金額が入力され一人当りの割勘金額を算出した後、各顧客は電子マネーで支払うか現金で支払うかを決定する。電子マネーでの支払を選択した顧客は順次、電子マネーでの決済を行う。電子マネーでの決済が終了したならば、未精算の金額を送信し、ＰＯＳ端末にて現金の決済を行う。【選択図】  図２
2009086770.tif 000002
【特許請求の範囲】
【請求項１】
一取引の合計取引金額を記憶する合計金額記憶手段と、
人数を入力する人数入力手段と、
前記合計金額記憶手段に記憶する合計金額と前記人数入力手段により入力された人数とから割勘金額を算出する電子マネー割勘金額算出手段と、
前記電子マネー割勘金額算出手段により算出された割勘金額を記憶する電子マネー割勘金額記憶部と、
電子マネー記憶媒体を読み取る電子マネー読取り手段と、
前記電子マネー読取り手段により読み取られた電子マネー記憶媒体から前記電子マネー割勘金額記憶部に記憶する割勘金額に基づいて決済処理を行う電子マネー決済手段と、
前記電子マネー読取り手段と前記電子マネー決済手段とを前記人数入力手段により入力された回数繰り返す繰り返し手段と、
を有することを特徴とする割勘装置。
【請求項２】
一取引の合計取引金額を記憶する合計金額記憶手段と、
人数を入力する人数入力手段と、
電子マネーで決済する人数を入力する電子マネー人数入力手段と
前記合計金額記憶手段に記憶する合計金額と前記電子マネー人数入力手段により入力された人数とから割勘金額を算出する電子マネー割勘金額算出手段と、
前記割勘金額算出手段により算出された割勘金額を記憶する割勘金額記憶部と、
電子マネー記憶媒体を読み取る電子マネー読取り手段と、
前記電子マネー読取り手段により読み取られた電子マネー記憶媒体から前記割勘金額記憶部に記憶する割勘金額に基づいて決済処理を行う電子マネー決済手段と、
前記電子マネー読取り手段と前記電子マネー決済手段とを前記電子マネー人数入力手段により入力された回数繰り返す繰り返し手段と、
前記繰り返し手段終了後に未精算の金額を出力する出力手段と、
を有することを特徴とする割勘装置。
【請求項３】
割引情報を入力する割引情報入力手段と、
前記電子マネー割勘金額算出手段は前記合計金額記憶手段により記憶している合計金額と前記電子マネー人数入力手段により入力された人数とに加え前記割引情報入力手段により入力された割引情報とから割勘金額を算出することを特徴とする請求項１に記載の割勘装置。
【請求項４】
一取引の合計取引金額を記憶する合計金額記憶手段と、
人数を入力する人数入力手段と、
前記合計金額記憶手段に記憶する合計金額と前記電子マネー人数入力手段により入力された人数とから割勘金額を算出する電子マネー割勘金額算出手段と、
前記割勘金額算出手段により算出された割勘金額を記憶する割勘金額記憶部と、
現金で支払うか電子マネーで支払うかを選択する支払方法選択手段と、
前記支払方法選択手段により現金での支払が選択されると支払として記憶する現金支払記憶手段と、
前記支払方法選択手段により電子マネーでの支払が選択されると電子マネー記憶媒体を読み取り支払処理を行う電子マネー支払手段と、
前記支払方法選択手段とこの選択により行われる前記現金支払記憶手段又は前記電子マネー支払手段を前記人数入力手段により入力された人数回繰り返す選択繰り返し手段と、
前記選択繰り返し手段終了後に前記現金支払記憶手段に記憶する現金支払の金額を出力する支払金出力手段と、
を有することを特徴とする割勘装置。
【請求項５】
一取引の合計金額を記憶する売上記憶部と、
割勘金額を記憶する割勘金額記憶部と、
電子マネーを記憶している電子マネー記憶媒体を読み取る読取り部と、
を備えたコンピュータを、
人数を入力する人数入力手段と、
前記売上記憶部に記憶している商品売上データと前記人数入力手段により入力された人数とから割勘金額を算出する電子マネー割勘金額算出手段と、
前記電子マネー割勘金額算出手段により算出された金額を前記電子マネー割勘金額記憶部に記憶する電子マネー割勘金額記憶手段と、
前記読取り部を制御して電子マネー記憶媒体を読み取る電子マネー読取り手段と、
前記電子マネー読取り手段により読み取られた電子マネー記憶媒体から前記電子マネー割勘金額記憶部に記憶する割勘金額に基づいて決済処理を行う電子マネー決済手段と、
前記電子マネー読取り手段と前記電子マネー決済手段とを前記電子マネー人数入力手段により入力された回数繰り返す繰り返し手段として機能させるためのプログラム。
【請求項６】
割勘装置と商品販売データ処理装置とからなる割勘システムにおいて、
前記割勘装置は各テーブルに設けられ、
一取引の合計取引金額を記憶する合計金額記憶手段と、
人数を入力する人数入力手段と、
前記合計金額記憶手段に記憶する合計金額と前記人数入力手段により入力された人数とから一人当りの割勘金額を算出する割勘金額算出手段と、
前記割勘金額算出手段により算出された割勘金額を記憶する割勘金額記憶部と、
前記割勘金額記憶部に記憶する金額を電子マネーで決済を行う電子マネー決済手段と、
前記電子マネー決済手段により決済されていない金額を取引情報管理装置に取引の識別情報と共に出力する出力手段とを有し、
商品販売データ処理装置は、
取引の識別情報を入力する入力手段と、
前記取引情報管理装置から前記入力された識別情報により未決済金額を取得する取得手段と、
取得した未決済金額を決済する決済手段と、
を有することを特徴とする割勘システム
【発明の詳細な説明】
【技術分野】
【０００１】
本発明は、小売店や飲食店などで利用される割勘装置とシステム及びプログラムに関する。
【背景技術】
【０００２】
近年、現金の代わりの決済手段として電子マネー端末（非接触型ＩＣカード、クレジットカードなど）が普及しており、電子マネーを使用可能な場所が、交通機関やコンビニエンスストア、さらには飲食店などにも広がってきている。
【０００３】
従来、飲食店では費用を各自が分担する割り前勘定、いわゆる割勘が行われている。そして、電子マネーで割勘を行う装置として例えば特許文献１が知られている。この特許文献１は、最大３枚の電子マネーカードをＰＯＳ（Ｐｏｉｎｔ  Ｏｆ  Ｓａｌｅｓ）端末に挿入し、割勘キーを押下することにより、均等割りを行う装置である。
【０００４】
【特許文献１】特開平１１−１６０３２号公報
【発明の開示】
【発明が解決しようとする課題】
【０００５】
近年、多種多様な種類の電子マネー端末（媒体）が普及している。このため、飲食店などの決済で割勘を行う場合、割勘を行う各人が所持する電子マネー端末が多岐に渡り、従来の方式で対応することは難しい。また、電子マネーではなく、現金やサービス券によって支払を希望する顧客も当然に存在する。このため、複数の電子マネー支払と現金支払いとが混在した場合に簡易な方法で割勘決済を行うことが望まれている。
【０００６】
本発明はこのような事情に基づいてなされたもので、その目的とするところは、割勘決済において、顧客の望む支払を行うことができる装置を提供するものである。
【課題を解決するための手段】
【０００７】
上記の課題を解決するために、本発明の割勘装置は、一取引の合計取引金額を記憶する合計金額記憶手段と、人数を入力する人数入力手段と、前記合計金額記憶手段に記憶する合計金額と前記人数入力手段により入力された人数とから割勘金額を算出する電子マネー割勘金額算出手段と、前記電子マネー割勘金額算出手段により算出された割勘金額を記憶する電子マネー割勘金額記憶部と、電子マネー記憶媒体を読み取る電子マネー読取り手段と、前記電子マネー読取り手段により読み取られた電子マネー記憶媒体から前記電子マネー割勘金額記憶部に記憶する割勘金額に基づいて決済処理を行う電子マネー決済手段と、前記電子マネー読取り手段と前記電子マネー決済手段とを前記人数入力手段により入力された回数繰り返す繰り返し手段とを有することを特徴としている。
【発明の効果】
【０００８】
本発明によれば、割勘決済を行う場合、電子マネーや現金などが混在した場合でも各顧客の望む支払を選択することが可能となり、顧客の決済の利便性を向上させることができる。
【発明を実施するための最良の形態】
【０００９】
以下、本発明の一実施の形態を、図面を用いて説明する。なお、この実施の形態では、居酒屋等の飲食店に導入されている無線注文管理システムに本発明を適用した場合である。
【実施例１】
【００１０】
図１は、本実施の形態における無線注文管理システムの全体図である。このシステムは、無線回路を内蔵した携帯型の注文データ入力装置であるハンディターミナル１を複数台備えている。また、無線回路と電子マネー読取り機能を有した電子マネー割勘装置２が、各テーブルに配置されている。そして、これらのハンディターミナル１と電子マネー割勘装置２と無線によるデータの送受信が可能な無線部ユニット３を有したステーション４と、ディスプレイとプリンタを有した厨房装置５と、決済処理を行うＰＯＳ端末６とを備えている。そして、各ハンディターミナル１と各電子マネー割勘装置２と無線部ユニット３とを無線回線で接続し、無線部ユニット３とステーション４とを専用の通信ケーブル７で接続し、ステーション４と厨房装置５及びＰＯＳ端末６とをＬＡＮ（Ｌｏｃａｌ  Ａｒｅａ  Ｎｅｔｗｏｒｋ）８で接続して無線注文管理システムを構築している。なお、前記ハンディターミナル１と厨房装置５の説明は省略する。
【００１１】
図２は、前記電子マネー割勘装置２のブロック図である。この電子マネー割勘装置２には、演算装置・制御装置としてのＣＰＵ１１が設けられている。このＣＰＵ１１には、アドレスバス、データバスなどのバスライン１２を介して、ＲＯＭ１３、ＲＡＭ１４、通信インターフェース１５、キーボードコントローラ１６、表示コントローラ１７、非接触端末リーダ／ライタコントローラ１８（以下リーダ／ライタをＲ／Ｗと記載する）、プリンタコントローラ１９が接続されている。そして、これらの各コントローラ１６、１７、１８、１９には、キーボード２０、表示器２１、非接触端末Ｒ／Ｗ２２、プリンタ２３が接続されている。
【００１２】
前記ＲＯＭ１３には、前記ＣＰＵ１１によって読み出されて当該ＣＰＵ１１を様々な機能として働かせるプログラムや当該プログラムによるデータ処理の対象となる固定的なデータが格納されている。また、複数の方式の電子マネー端末を読み取るためのプログラムも記憶される。このため、このＲＯＭ１３が複数記憶手段に相当する。
【００１３】
前記ＲＡＭ１４には、プログラムによるデータ処理の作業領域となるワークエリアなどの様々なメモリエリアが動的に形成される。このＲＡＭ１４には各テーブルに割り当てられた識別データの一種でＩＤ（ＩＤｅｎｔｉｆｉｃａｔｉｏｎ）番号であるテーブルＩＤと、割勘を行う人数である割勘人数と、会計ファイル３０と支払残りファイル３５、そして前記ステーション４から送信された顧客が注文した料理の合計金額と、この合計金額からサービス券の金額を減算した割勘対象金額とを記憶する。このＲＡＭ１４において合計金額を記憶するエリアが売上記憶部に相当する。なお、この合計金額を記憶するエリアが合計金額記憶手段に相当する。また、ＲＡＭ１４において割勘対象金額を記憶するエリアが割勘金額記憶部に相当する。そして、現在店舗で使用することのできるサービス券のＩＤを１から昇順に番号を割り付けて、対応するサービス内容と共に記憶している。
【００１４】
前記会計ファイル３０は前記電子マネー割勘装置２の操作が完了すると、前記ステーション４へ送信する。前記会計ファイル３０は図３に示すように、現金による支払残り金額を示す「現金支払残り」、サービス券のＩＤである「サービス券」、電子マネーによる支払済み金額を示す「電子マネー支払済み」を記憶している。なお、「現金支払残り」、「サービス券」、「電子マネー支払済み」の初期値は０であるとする。
【００１５】
前記支払残りファイル３５は、支払人数の管理に使用する。前記支払残りファイル３５は、図４に示すように、サービス券、電子マネー、現金、端数からなる「グループ」で構成され、各グループに対応し、支払金額である「支払金額」、支払人数である「人数」、まだ支払っていない人数である「残り人数」、電子マネーで支払うか、現金で支払うかのフラグである「支払フラグ」からなる。この支払フラグは、０ならば現金、１ならば電子マネーとする。
【００１６】
このＲＡＭ１４の支払残りファイル３５の「グループ」電子マネーに対応する「支払金額」を記憶するエリアが、電子マネー割勘金額記憶部に相当する。また、このＲＡＭ１４の支払残りファイル３５の「グループ」電子マネーと現金とに対応する「支払金額」を記憶するエリアが、割勘金額記憶部に相当する。
【００１７】
前記通信インターフェース１５は、無線によるデータの送受信機能を有する。
【００１８】
前記キーボードコントローラ１６は、前記キーボード２０からの入力信号を処理し、操作されたキーに対応するキーコードなどを前記バスライン１２に送出するものである。このキーボードコントローラ１６に接続されているキーボード２０は顧客によって操作されるもので、数字を入力するためのテンキー、注文した料理の合計金額を取得する合計キー、前記表示器２１に表示されているカーソルを移動させる上下キー、計算の開始を宣言する計算キー、値の再入力を行う宣言である再入力キー、操作を確定するＯＫキー、などからなる。
【００１９】
前記表示コントローラ１７は、顧客に対して割勘金額等を表示する表示器２１を制御し、前記ＣＰＵ１１などからの指令に応じて前記バスライン１２から受け取ったデータなどに基づく情報を前記表示器２１の画面に表示させる。
【００２０】
前記非接触端末Ｒ／Ｗコントローラ１８は、前記ＣＰＵ１１などからの命令に応じて前記非接触端末Ｒ／Ｗ２２が図示しない非接触電子マネー端末から受信したデータを前記バスライン１２に送出し、前記バスライン１２から受け取ったデータを前記非接触端末Ｒ／Ｗ２２を介して図示しない非接触電子マネー端末への送信の制御を行う。これら一連の前記ＣＰＵ１１の制御が、電子マネー読取り手段に相当する。また、前記非接触端末Ｒ／Ｗコントローラ１８と前記非接触端末Ｒ／Ｗ２２とが読取り部に相当する。なお、非接触電子マネー端末は、非接触ＩＣカードや、非接触ＩＣカードの機能を搭載した携帯電話などが考えられる。
【００２１】
前記プリンタコントローラ１９は、用紙に所定の情報を印字する印字部や所定情報が印字された用紙を切断するカッターなどを備えたプリンタ２３を制御する。このプリンタコントローラ１９によって制御されるプリンタ２３は、ロール状に巻かれた状態で納められている長尺紙の端を印字の際に順次引き出して印字用紙として使用し、その引き出された長尺紙の端から順に印字部で印字を行うものである。この印字部で印字される情報は、前記ＣＰＵ１１などからの指令に応じて前記バスライン１２から受け取ったデータなどに基づくものである。
【００２２】
図５は前記ステーション４のブロック図である。このステーション４には、演算装置・制御装置としてのＣＰＵ４１が設けられている。このＣＰＵ４１には、アドレスバス、データバスなどのバスライン４２を介して、前記ＣＰＵ４１を制御するプログラムを予め格納したＲＯＭ４３、ＲＡＭ４４、前記ＬＡＮ８を介してデータ通信を行う有線通信インターフェース４５、キーボードコントローラ４６、表示コントローラ４７、無線部コントローラ４８が接続されている。そして、このキーボードコントローラ４６と表示コントローラ４７には、キーボード４９、表示器５０が接続されている。また、前記無線部コントローラ４８には前記専用の通信ケーブル７を介して前記無線部３が接続されている。なお、このステーション４が取引情報管理装置に相当する。
【００２３】
前記ＲＡＭ４４は、前記テーブルＩＤごとに注文記憶ファイル６０と精算ファイル７０を記憶している。
【００２４】
前記注文記憶ファイル６０は、一取引の料理の注文情報をテーブルＩＤごとに記憶する。注文情報は前記ハンディターミナル１から入力される。そして、この注文記憶ファイル６０は図６に示すようにテーブルＩＤごとに、顧客が注文した料理の識別コードとこの識別コードに対応する料理名、単価に加えて当該料理の注文点数、当該料理の小計金額とを記憶するものである。また、小計金額の合計である合計金額を記憶する。この合計金額は、前記電子マネー割勘装置からテーブルＩＤと合計金額要求メッセージを受信したときに計算される。
【００２５】
前記精算ファイル７０は、前記電子マネー割勘装置２から送信された前記会計ファイル３０をテーブルＩＤごとに記憶するものである。前記精算ファイル７０のファイル構成は図７に示すように、前記会計ファイル３０にテーブルＩＤを加えたものである。
【００２６】
前記キーボードコントローラ４６は、前記キーボード４９からの入力信号を処理し、操作されたキーに対応するキーコードなどを前記バスライン４２に送出するものである。このキーボードコントローラ４６に接続されているキーボード４９は設定データなどを入力する各種キーが配置されている。
【００２７】
前記表示コントローラ４７は、このステーション４の状態を表示する表示器５０を制御し、前記ＣＰＵ４１などからの指令に応じて前記バスライン４２から受け取ったデータなどに基づく情報を前記表示器５０の画面に表示させる。
【００２８】
前記無線部コントローラ４８は前記無線ユニット３とのデータ送受信を制御する。
【００２９】
しかして、以上のようなハードウェア構成、ファイル構成からなる無線注文管理システムにおいて、前記電子マネー割勘装置２の前記ＣＰＵ１１が予め設定されているプログラムに基づいて図８乃至図１０に示す割勘処理を実行する場合を説明する。
【００３０】
まず、Ｓ（ステップ）１として前記合計キーが押下され、合計キーのキー信号が入力される。この合計キーのキー信号が入力されると、前記ＲＡＭ１４に記憶されているテーブルＩＤと合計金額要求メッセージを前記ステーション４へ送信する（Ｓ２）。
【００３１】
送信後、前記ステーション４から、合計金額を受信したか否かを判別する（Ｓ３）。受信していないと判別するなら（Ｓ３のＮｏ）、受信するまで前記Ｓ３の処理を繰り返し、待機する。
【００３２】
一方、前記Ｓ３にて前記ステーション４から合計金額を受信したと判別すると（Ｓ３のＹｅｓ）、前記ＲＡＭ１４の合計金額と割勘対象金額とに受信した値を記憶する。
【００３３】
そして、図１１に示すように前記ＲＡＭ１４に記憶されている合計金額の値を前記表示器２１に表示されている合計金額に対応するテキストフィールドに、前記ＲＡＭ１４に記憶されている割勘対象金額の値を前記表示器２１に表示されている割勘対象金額に対応するテキストフィールドにそれぞれ表示する（Ｓ４）。
【００３４】
続いて、サービス券キーが押下されたか否かの判別を行う（Ｓ５）。サービス券キーが押下されたと判別されたなら（Ｓ５のＹｅｓ）、現在店舗で使用できるサービス券の情報を前記ＲＡＭ１４から読み出し、図１２に示すように昇順の番号を割り付けてその一覧を前記表示器２１に表示する（Ｓ６）。そして、サービス券に対応する数値が入力されると、入力されたサービス券のＩＤを前記ＲＡＭ１４の会計ファイル３０し、割引金額を前記支払残りファイル３５の「グループ」サービス券に対応する「支払金額」に記憶する（Ｓ７）。なお、前記Ｓ５にて操作される前記サービス券キーと前記Ｓ７にて操作される前記テンキーとにより入力処理を行う前記ＣＰＵ１１と、前記Ｓ６と前記Ｓ７にて前記ＣＰＵ１１の命令を受けて動作する前記表示器２１と前記ＲＡＭ１４とが割引情報入力手段に相当する。
【００３５】
そして、前記ＲＡＭ１４の支払管理ファイル３５のサービス券の金額を、前記ＲＡＭ１４に記憶されている合計金額から減算し、割勘対象金額として新たに前記ＲＡＭ１４に記憶する（Ｓ８）。そして、算出された新たな割勘対象金額を前記表示器２１の割勘対象金額に対応するテキストフィールドに表示する（Ｓ９）。その後、割勘を行う人数である割勘人数が入力され前記ＲＡＭ１４に記憶される（Ｓ１０）（図９参照）。なお、このＳ１０における電子マネーの支払を希望する人数を入力する前記テンキーと前記ＣＰＵ１１の処理とこのＣＰＵ１１の命令により入力された値を記憶する前記ＲＡＭ１４とが人数入力手段に相当する。
【００３６】
一方、前記Ｓ５において、サービス券キーが押下されないと判別すると（Ｓ５のＮｏ）、割勘を行う人数である割勘人数が入力され、前記ＲＡＭ１４に記憶される（Ｓ１０）。前記Ｓ１０にて割勘人数が入力されると、続いて端数の金額と支払方法が入力され前記ＲＡＭ１４に記憶する（Ｓ１１）。なお、端数の金額は前記テンキーにより入力され、
支払方法は上下キーにより前記表示器２１に表示されたカーソルを「現金」「電子」のどちらかに移動させ、ＯＫキーを押下することにより入力される。このＳ１１で入力された金額に最も近くかつ端数以下になるように、余りの金額が計算される。また、「電子マネー」が選択された場合、前記支払管理ファイル９０の「グループ」端数に対応する「支払フラグ」を０から１にセットする。
【００３７】
前記Ｓ１１にて端数の値が入力されると、続いて電子マネーでの支払を希望する人数が入力され、前記ＲＡＭ１４の前記支払残りファイル３５の「グループ」電子マネーに対応する「人数」と「残り人数」に記憶する（Ｓ１２）。なお、このＳ１２における電子マネーの支払を希望する人数を入力する前記テンキーと前記ＣＰＵ１１の処理とこのＣＰＵ１１の命令により入力された値を記憶する前記ＲＡＭ１４とが電子マネー人数入力手段に相当する。
【００３８】
そして、前記ＲＡＭ１４に記憶されている割勘人数と電子マネーの支払を希望する人数から、現金での支払を希望する人数を算出し、前記ＲＡＭ１４の前記支払残りファイル３５の「グループ」現金に対応する「人数」と「残り人数」に記憶する（Ｓ１３）。
【００３９】
現金の人数などを記憶すると、前記計算キーが押下されキー信号が入力されたかを判別する（Ｓ１４）。前記計算キーのキー信号が入力されていないと判別するなら（Ｓ１４のＮｏ）、入力されるまで前記Ｓ１４の処理を繰り返し、待機する。
【００４０】
一方、前記計算キーのキー信号が入力されたと判別すると（Ｓ１４のＹｅｓ）、前記ＲＡＭ１４に記憶している割勘対象金額から前記Ｓ１０にて入力された割勘人数を除算する。このとき、余りの値は前記Ｓ１１にて前記ＲＡＭ１４に記憶した端数の値以下になるように計算する（Ｓ１５）。このＳ１５における前記ＣＰＵ１１の処理が電子マネー割勘金額算出手段に相当する。また、割勘金額算出手段にも相当する。
【００４１】
そして、計算結果を前記ＲＡＭ１４の支払残りファイル３５に記憶し、一人当りの支払金額と端数の金額、サービス券の割引額を前記表示器２１に表示する（Ｓ１６）。このＳ１６での前記ＲＡＭ１４の支払残りファイル３５のグループ「電子マネー」に対応する「支払金額」に前記Ｓ１５で算出された値を記憶する前記ＣＰＵ１１の処理が電子マネー割勘金額記憶手段に相当する。
【００４２】
そして、前記ＯＫキーが押下されたか否かを判別する（Ｓ１７）。
【００４３】
前記ＯＫキーのキー信号が入力されないと判別されたなら（Ｓ１７のＮｏ）、前記再入力キーが押下される（Ｓ１８）。そして、この再入力キーが押下されると、前記ＲＡＭ１４に記憶している、前記会計ファイル３０、前記支払残りファイル３５、割勘人数がリセットされ、割勘対象金額に合計金額の値が新たに記憶され（Ｓ１９）、前記Ｓ５に戻り前記計算キーが押下されたか否かの判別を行う。
【００４４】
一方、前記Ｓ１７にて前記ＯＫキーが押下されたと判別したなら（Ｓ１７のＹｅｓ）、前記ＲＡＭ１４の前記支払残りファイル３５の内容と、割勘人数、入力したサービス券の内容、電子マネーの支払人数と未払いの人数などを図１３に示すように前記表示器２１に表示する。また、使用する電子マネー媒体決定のため、使用可能な電子マネー記憶媒体を「１」から昇順に番号を割り付け表示する（Ｓ２０）。
【００４５】
そして、前記テンキーにより数値が入力され、入力された値に対応する電子マネー記憶媒体を読み取るためのソフトウェアを起動する（Ｓ２１）。
【００４６】
そして、前記非接触端末Ｒ／Ｗ２２を介して、電子マネー記憶媒体が記憶している金額と今回取引の割勘金額とで減算を行い、決済処理を完了する。決済処理が完了すると起動したソフトウェアを終了する。そして、前記支払残りファイル３５の「グループ」電子マネーの、残り人数から１を減算し、前記表示器２１に表示する（Ｓ２２）。このＳ２２における、前記ＣＰＵ１１の命令により前記非接触端末Ｒ／Ｗ２２を介して行われる決済処理が、電子マネー決済手段に相当する。
【００４７】
次に前記ＲＡＭ１４の支払残りファイル３５の「支払フラグ」が１である「グループ」の残り人数が０になっているかを判別する（Ｓ２３）。
【００４８】
残り人数が０でないと判別するなら（Ｓ２３のＮｏ）、前記Ｓ２１に戻り前記テンキーにより数値が入力され、電子マネー記憶媒体の選択を行う。
【００４９】
一方、残り人数が０になっていると判別されたなら（Ｓ２３のＹｅｓ）、前記ＲＡＭ１４の支払残りファイル３５から、電子マネーの支払済み金額と現金の支払残り金額を算出し、それぞれを前記ＲＡＭ１４の会計ファイル３０に記憶する（Ｓ２４）。このＳ２３の前記ＣＰＵ１１の処理が繰り返し手段に相当する。
【００５０】
そして、前記ＲＡＭ１４に記憶されているテーブルＩＤから印字データを作成し、この印字データを前記プリンタ２３に出力して、レシート用紙及びジャーナル用紙に上記印字データに基づく印字を行わせる（Ｓ２５）。
【００５１】
このＳ２５にてテーブルＩＤを印字すると、前記会計ファイル３０とテーブルＩＤを前記ステーション４へ送信する（Ｓ２６）。このＳ２６の前記ＣＰＵ１１の処理とこのＣＰＵ１１の命令に従って前記会計ファイル３０を送信する前記通信インターフェース１５が出力手段に相当する。
【００５２】
そして、前記ＲＡＭ１４の前記会計ファイル３０、支払残りファイル３５などをクリアし処理を終了する。
【００５３】
また、図１４は前記ＰＯＳ端末６のブロック図である。このＰＯＳ端末６が商品情報処理装置に相当する。そして、このＰＯＳ端末６には、ＣＰＵ１４１が設けられている。このＣＰＵ１４１にはバスライン１４２を介して、ＲＯＭ１４３、ＲＡＭ１４４、データの送受信機能を有する通信インターフェース１４５、キーボードコントローラ１４６、客用表示コントローラ１４７、店用表示コントローラ１４８、プリンタコントローラ１４９、Ｉ／Ｏ（Ｉｎｐｕｔ／Ｏｕｔｐｕｔ）ポート１５０が接続されている。そして、これらの各コントローラ１４６、１４７、１４８、１４９には、キーボード１５１、顧客に対して取引結果などを表示する客用表示器１５２、接客係に対して取引結果などを表示する店用表示器１５３、レシートを印字するプリンタ１５４が接続されている。また、前記Ｉ／Ｏポート１５０には、モードスイッチ１５５とドロワ１５６が接続されている。
【００５４】
前記ＲＡＭ１４４には顧客の前記ステーション４から受信した注文記憶ファイル６０と精算ファイル７０を記憶する。また、１日の商品取引履歴である取引履歴ファイル１７０を記憶する。また、前述した図２のように、現在店舗で使用することのできるサービス券のＩＤを１から昇順に番号を割り付けて、対応するサービス内容と共に記憶している。
【００５５】
図１５は前記取引履歴ファイル１７０である。この取引履歴ファイル１７０料理の識別コードごとに、単価、当該料理の総売上点数、当該料理の小計金額とを記憶する。一取引ごとにこの取引履歴ファイル１７０は更新される。
【００５６】
前記キーボード１５１は、置数キー、テーブルＩＤキー、ＰＬＵキー、預／現計キーなどが設けられている。
【００５７】
前記Ｉ／Ｏポート１５０は、接続されているモードスイッチ１５５から入力された信号に基づいて所定のデータを前記バスライン１４２に出力したり、前記ＣＰＵ１４１からの指令などに応じて接続されているドロワ１５６に起動信号を出力したりする。前記ドロワ１５６は、現金などを収納するもので、前記Ｉ／Ｏポート１５０から出力される駆動信号に基づいてその収納部上の開口を外部に露呈させる。前記モードスイッチ１５５は、「登録」、「点検」、「精算」、「設定」などの前記ＰＯＳ端末６における各種業務モードの何れかのモードへと切り替えるための切替えスイッチで、鍵にて切替え操作される。鍵位置に対応するモード信号は、前記モードスイッチ１５５から前記Ｉ／Ｏポート１５０に入力され、前記ＣＰＵ１４１によって選択されたモードが認識される。
【００５８】
以上のようなハードウェア構成、ファイル構成からなる無線注文管理システムにおいて、前記ＰＯＳ端末６の前記ＣＰＵ１４１が予め設定されているプログラムに基づいて図１６に示す精算処理を実行する場合を説明する。
【００５９】
まず、前記テーブルＩＤが入力される。これは前記キーボード１５１のテーブルＩＤキーが押下された後、置数キーが押下されることにより入力される（Ｓ１０１）。このＳ１０１にて前記テーブルＩＤキーと置数キーによりテーブルＩＤ入力処理を行う前記ＣＰＵ１４１とが、入力手段に相当する。
【００６０】
そして、前記Ｓ１０１にて入力されたテーブルＩＤを、前記ステーション４へ送信する（Ｓ１０２）。そして、前記ステーション４から送信したテーブルＩＤに対応する前記注文記憶ファイル６０と前記精算ファイル７０とを受信したかを判別する（Ｓ１０３）。受信していないと判別するなら（Ｓ１０３のＮｏ）、受信するまで待機する。
【００６１】
一方、このＳ１０３にて送信したテーブルＩＤに対応する、前記注文記憶ファイル６０と前記精算ファイル７０とを受信したと判別したなら（Ｓ１０３のＹｅｓ）、前記注文記憶ファイル６０と前記精算ファイル７０と前記ＲＡＭ１４４に記憶する（Ｓ１０４）。このＳ１０２からＳ１０４までの前記ＣＰＵ１４１の処理とこのＣＰＵ１４１の命令に従って動作する前記ＲＡＭ１４４と前記有線通信インターフェース１４５とが取得手段に相当する。
【００６２】
前記精算ファイル７０のサービス券のＩＤに対応するサービス内容と現金支払残りの値を、前記客用表示器１５２と前記店用表示器１５３に表示する（Ｓ１０５）。
【００６３】
そして、預かり金額とサービス券とが入力され前記預／現計キー押下されると（Ｓ１０６）、前記ドロワ１５６を開放する（Ｓ１０７）。
【００６４】
前記Ｓ１０７で前記ドロワ１５６を開放すると、前記ＲＡＭ１４４に記憶されている前記注文記憶ファイル６０の注文情報から印字データを作成し、この印字データを前記プリンタ１５４に出力して、レシート用紙及びジャーナル用紙に上記印字データに基づく印字を行わせる（Ｓ１０８）。
【００６５】
前記注文記憶ファイル６０に記憶されている注文点数と小計金額とを、前記取引履歴ファイル１７０の対応する識別コードの総売上点数と小計金額に加算し、更新を行う（Ｓ１０９）。
【００６６】
そして、前記ＲＡＭ１４４の前記注文記憶ファイル６０と前記精算ファイル７０のデータをクリアし（Ｓ１１０）一取引における精算処理を終了し、次の取引における精算処理に備える。これら前記Ｓ１０５から前記Ｓ１１０までの前記ＣＰＵ１４１の処理が決済手段に相当する。
【００６７】
次に、以上のようなハードウェア構成を備え、上述のフローチャートに基づいた所定のデータ処理を行う無線注文管理システムにおける、前記電子マネー割勘装置２の動作について説明する。
【００６８】
図８、図９、図１０、図１６に示された割勘処理の動作を説明する。割勘処理の条件は、以下の通りである。
顧客らは５人で来店し、飲食の合計代金は２７２００円であるとする。また、この顧客らは２０００円分のサービス券を使用したものとし、この前記ＲＡＭ１４には２０００円引きのサービス券に対応する数値として「２」が記憶されている。端数の金額は２００円とし、残りの２５０００円を５人で均等割りし、１人が支払うべき割勘金額は５０００円であるとする。
【００６９】
また、５人の内３人が電子マネーでの支払を希望し、残り２人が現金での支払を希望しているものとする。さらに、端数は現金で支払われるものとする。
【００７０】
このため、前記ＲＡＭ１４の支払残りファイル３５には、グループ、「サービス券」、「電子マネー」、「現金」、「端数」に対応して、「支払金額」に「２０００」、「５０００」、「５０００」、「２００」が、「人数」にそれぞれ「１」、「３」、「２」、「１」が、「残り人数」に「１」、「３」、「２」、「１」が、「支払フラグ」に「０」、「１」、「０」、「０」が、顧客の操作によって記憶されている。
【００７１】
また、前記ＲＡＭ１４会計ファイル３０には、「現金支払残り」に対応して「１０２００」、「サービス券」に対応して「２」、「電子マネー支払済み」に対応して「１５０００」が記憶される。
【００７２】
そして、顧客らが使用した前記電子マネー割勘装置にはテーブルＩＤ「１」が割り当てられているものとする。顧客が使用できる電子マネー記憶媒体は「Ａ媒体」、「Ｂ媒体」、「Ｃ媒体」「Ｄ媒体」であるとする。そして、電子マネーでの支払を希望している３人はそれぞれ「Ａ媒体」、「Ｂ媒体」、「Ｃ媒体」を選択したものとする。
【００７３】
まず、顧客は前記電子マネー割勘装置２の前記キーボード２０の合計キーを押下する。合計キーが押下されると前記電子マネー割勘装置によりテーブルＩＤである１と合計金額要求メッセージを前記ステーション４に送信される。
【００７４】
このテーブルＩＤと合計金額要求メッセージとを受け取った前記ステーション４は、前記ＲＡＭ４４の前記注文記憶ファイル６０から、該当するテーブルＩＤが検索される。そして、該当するテーブルＩＤの小計金額から合計金額である２７２００が算出され、前記電子マネー割勘装置２に合計金額が返信される。
【００７５】
そして、受信された合計金額２７２００は前記電子マネー割勘装置２の前記ＲＡＭ１４の合計金額と割勘対象金額に記憶される。
【００７６】
そして、前記ＲＡＭ１４に記憶されている合計金額の２７２００は前記表示器２１に合計金額として表示され、前記ＲＡＭ１４に記憶されている割勘対象金額の２７２００は前記表示器２１に割勘対象金額としてそれぞれ表示される。
【００７７】
次に顧客は前記キーボード２０のサービス券キーを押下しサービス券情報を前記表示器２１に表示させる。そして、表示されたサービス券情報の中から今回使用する「２０００円引き」に対応する数値である「２」を、前記テンキーを操作することにより入力する。
【００７８】
サービス券情報が入力されると、合計金額である２７２００円からサービス券の金額２０００円を除算し、２５２００円が割勘対象金額として前記ＲＡＭ１４に記憶され、前記表示器２１に割勘対象金額２５２００円が表示される。
【００７９】
そして、次に顧客は割勘を行う人数である「５」を前記テンキーを用いて入力する。続いて、端数「２００」を入力し、前記上下キーにより前記表示器２１に表示されたカーソルを「現金」に移動させ、前記ＯＫキーを押下する。また、電子マネーでの支払を希望する人数「３」を、前記テンキーを操作することにより入力する。
【００８０】
これらの入力が完了すると前記計算キーを押下する。すると、割勘対象金額「２５２００」と割勘人数「５」を除算する。その結果、一人当りの割勘金額が「５０００」、端数が「２００」と算出され、それぞれが前記ＲＡＭ１４の支払残りファイル３５に記憶され、前記表示器２１に表示される。そして、計算結果を目視により確認した顧客は、前記ＯＫキーを押下する。このＯＫキーが押下されると、図１３に示すように、使用できる電子マネー記憶媒体と共に、割勘人数、割勘金額、電子マネーでの支払人数などが前記表示器２１に表示される。
【００８１】
そして、選択画面が表示されると顧客の１人は「Ａ媒体」を使用することを希望しているので、対応する値「１」を、前記テンキーを用いて入力する。すると、「Ａ媒体」を読み取るためのソフトウェアが起動し、顧客は前記非接触端末Ｒ／Ｗに電子マネー記憶媒体を近づけて決済を行う。
【００８２】
「Ａ媒体」の決済が完了すると前記ＲＡＭ１４の支払残りファイル３５の「グループ」電子マネーに対応する「残り人数」に記憶されている「３」から「１」を減算し、新たに「２」を記憶する。そして、前記ＲＡＭ１４の支払残りファイル３５の支払フラグが１である「電子マネー」の「残り人数」が０でないので、再び電子マネー記憶媒体の入力を行い、「Ｂ媒体」、「Ｃ媒体」と順次選択し、決済を行い、決済を行うたびごとに「残り人数」から１を減算する。
【００８３】
そして、「電子マネー」の「残り人数」が０になったと判別されると、前記ＲＡＭ１４の支払残りファイル３５から、割勘金額「５０００」と「電子マネー」の「人数」に記憶されている「３」を乗算し、「１５０００」を前記会計ファイル３０の電子マネー支払済みに記憶する。さらに、割勘金額「５０００」と「現金」の「人数」に記憶されている「２」を乗算した結果である「１００００」と、端数「２００」の和「１０２００」を「現金支払残り」に記憶し、この会計ファイル３０を前記ステーション４へ送信される。この会計ファイル３０を受信した前記ステーション４は、精算ファイルに受信した内容を記憶する。
【００８４】
そして、前記ＲＡＭ１４に記憶されているテーブルＩＤが印字される。そして、テーブルＩＤが印字されるので、この印字された紙を持ってＰＯＳ端末へと顧客は向かう。また、テーブルＩＤを印字すると、前記ＲＡＭ１４の前記会計ファイル３０や支払残りファイル３５などをクリアし、前記電子マネー割勘装置２の処理が終了される。
【００８５】
次に、以上のようなハードウェア構成を備え、上述のフローチャートに基づいた所定のデータ処理を行う無線注文管理システムにおける、前記ＰＯＳ端末６の動作について説明する。
【００８６】
図１６に示された精算処理の動作を説明する。精算処理の条件は、以下の通りである。
前記ステーション４の精算ファイルのテーブルＩＤには１、現金支払残りには１０２００、サービス券には２、電子マネー支払済みには１５０００が記憶されている。
【００８７】
そして、顧客は前記割勘端末２を操作して、テーブルＩＤである１が印字された紙を、前記ＰＯＳ端末６を操作する接客係に手渡したものとする。
【００８８】
接客係は顧客からテーブルＩＤを受け取ると、前記ＰＯＳ端末６の前記キーボード１５１の前記テーブルＩＤキーを押下後、続けて前記置数キーを操作し１を押下する。
【００８９】
テーブルＩＤが入力されると、前記ＰＯＳ端末６は前記ステーション４へテーブルＩＤである１が送信される。
【００９０】
そして、前記注文記憶ファイル６０と前記精算ファイル７０とが受信されると、前記ＲＡＭ１４４に記憶される。
【００９１】
前記精算ファイル７０のサービス券に記憶される値「２」に対応するサービス券の内容「２０００円引き」と現金支払残りの値「１０２００」を、前記客用表示器１５２と前記店用表示器１５３に表示される。
【００９２】
前記客用表示器１５２に表示されたサービス券の内容「２０００円引き」と現金支払残りの値「１０２００」を目視した顧客は、現金１０２００円とサービス券２０００円分を接客係に渡す。そして現金１０２００円とサービス券２０００円を受け取った接客係は前記預／現計キーを押下し、前記ドロワ１５６が開放される。
【００９３】
前記ドロワ１５６が開放されると、前記ＲＡＭ１４４に記憶されている前記注文記憶ファイル６０の注文情報から印字データが作成され、前記プリンタ１５４にて明細の印字が行われる。
【００９４】
印字された明細は、接客係から顧客に渡される。
【００９５】
また、前記注文記憶ファイル６０に記憶されている注文点数と小計金額とが、前記取引履歴ファイル１７０の対応する識別コードの総売上点数と小計金額に加算更新され、前記ＲＡＭ１４４の前記注文記憶ファイル６０と前記精算ファイル７０のデータがクリアされ、前記ＰＯＳ端末６における精算処理が完了する。
【００９６】
本発明によれば、割勘決済を行う場合、電子マネーや現金などが混在した場合でも各顧客の望む支払を選択することが可能となり、顧客の決済の利便性を向上させることができる。
【００９７】
また、テーブルで電子マネーを支払っているので、ＰＯＳが置いてあることの多い出入口で一人一人の支払を行わずに済むので、混雑を回避することができる。
【実施例２】
【００９８】
次に第２の実施例について説明する。ただし、図１、図３、図５から図７、図１４、図１５については、実施例１と同様であるので説明は省略する。
【００９９】
図２は前記電子マネー割勘装置２のブロック図である。この電子マネー割勘装置２には、構成は実施例１とほぼ同様である。前記ＲＡＭ１４に記憶する内容が、前記支払管理ファイル３５に代えて、支払管理ファイル１８０を記憶する。また、前記キーボード２０に終了キーが追加されている。このため、以下支払管理ファイル１８０と送信キーについて説明する。
【０１００】
この支払管理ファイル１８０は、各顧客が電子マネーと現金の支払を選択する処理に使用する。前記支払管理ファイル１８０は、図１７に示すように、サービス券、電子マネー、現金、端数からなる「グループ」で構成され、各グループに対応し、支払金額である「支払金額」、支払人数である「人数」、電子マネーで支払うか現金で支払うかのフラグである「支払フラグ」からなる。この支払フラグは、０ならば現金（現物）、１ならば電子マネーとする。また、まだ支払方法を入力していない人数である「残り人数」を記憶する。
【０１０１】
前記キーボード２０には、新たに終了キーが設けられている。この終了キーは電子マネーでの支払を希望する者は全て決済を終えた旨を宣言するキーであり、この終了キーが押下されると、前記ＲＡＭ１４に記憶されているデータが前記ステーション４に送信される。
【０１０２】
以上のようなハードウェア構成、ファイル構成からなる無線注文管理システムにおいて、前記電子マネー割勘装置２の前記ＣＰＵ１１が予め設定されているプログラムに基づいて図７、図１８、図１９に示す割勘処理を実行する場合を説明する。なお、図７に示すＳ９までの処理は実施例１と同様であるので省略する。
【０１０３】
前記Ｓ９又はＳ５の処理が完了すると、割勘を行う人数である割勘人数が入力され、前記ＲＡＭ１４に記憶される。さらに、入力された割勘人数に１を加算した値が支払管理ファイル１８０の「残り人数」に記憶される。１を加算するのは端数の入力を確保するためである（Ｓ２００）。
【０１０４】
このＳ２００にて割勘人数が入力されると、続いて端数の金額がテンキーにより入力され、その支払方法が入力され前記ＲＡＭ１４に記憶する（Ｓ２０１）。なお、支払方法の入力は、上下キーにより前記表示器２１に表示されたカーソルを「現金」「電子」のどちらかに移動させ、ＯＫキーを押下することにより行う。「電子マネー」が選択された場合、前記支払管理ファイル１８０の「グループ」端数に対応する「支払フラグ」を０から１にセットする。
【０１０５】
この端数の値が入力されると、前記計算キーが押下され計算キーのキー信号が入力され（Ｓ２０２）、前記ＲＡＭ１４に記憶されている割勘対象金額と割勘人数とを除算する（Ｓ２０３）。
【０１０６】
そして、この計算結果を「グループ」の現金と電子マネーに対応する「支払金額」に、余りを「グループ」端数に対応する「支払金額」に記憶し、前記表示器２１に計算結果を表示する（Ｓ２０４）。そして、前記ＯＫキーが押下されたか否かを判別する（Ｓ２０５）。
【０１０７】
そして、前記ＯＫキーのキー信号が入力されないと判別されたなら（Ｓ２０５のＮｏ）、前記再入力キーが押下される（Ｓ２０６）。そして、この再入力キーが押下されると、前記ＲＡＭ１４に記憶している、前記会計ファイル３０、前記支払管理ファイル１８０がリセットされ、割勘対象金額に合計金額の値が新たに記憶され（Ｓ２０７）、前記Ｓ５に戻り前記計算キーが押下されたか否かの判別を行う。
【０１０８】
一方、前記Ｓ２０５にて前記ＯＫキーが押下されたと判別したなら（Ｓ２０５のＹｅｓ）、そして、前記ＲＡＭ１４の前記支払管理ファイル１８０の内容と、割勘人数、入力したサービス券の内容、電子マネーの支払人数と未払いの人数などを図２０に示すように前記表示器２１に表示する。また、支払方法決定のため、前記表示器２１に、現金で支払う宣言に置数「１」を、使用可能な電子マネー記憶媒体を「２」から昇順に番号を割り付けて表示する（Ｓ２０８）。
【０１０９】
そして、このＳ２０８で表示された支払方法に対応する置数が前記テンキーにより入力され（Ｓ２０９）、その支払が現金での支払か電子マネーでの支払かを判別する（Ｓ２１０）。より、具体的には現金支払であることを宣言する置数「１」が入力されたかを判別する。前記Ｓ２０８にて支払方法を表示している前記表示器２１とこのＳ２０９にて前記テンキーの操作により支払方法入力する処理を行っている前記ＣＰＵ１１が支払方法選択手段に相当する。
【０１１０】
そして、置数「１」が入力されたと判別すると（Ｓ２１０のＹｅｓ）、前記支払管理ファイル１８０の「グループ」現金の、人数に１を加算・更新する（Ｓ２１１）。このＳ２１１における前記ＲＡＭ１４の支払管理ファイル１８０の更新処理を行っている前記ＣＰＵ１１が現金支払記憶手段に相当する。そして、前記支払管理ファイル９０の「残り人数」から１を減算し、残り人数が１になったか否かを判別する（Ｓ２１３）。
【０１１１】
一方、置数「１」以外の値が入力されたと判別すると（Ｓ２１０のＮｏ）、入力された置数に対応する電子マネー記憶媒体を読み取るためのソフトウェアを起動する。
【０１１２】
そして、入力された値に対応する電子マネー記憶媒体を読み取るための前記ＲＯＭ１３に記憶している専用のソフトウェアを起動する。そして、前記非接触カードＲ／Ｗ２２から、非接触カードが記憶している支払可能な金額が入力され決済処理を行い、決済処理を完了すると起動したソフトウェアを終了する（Ｓ２１２）。このＳ２１２にて前記非接触カードＲ／Ｗ２２を制御し決済処理を行っている前記ＣＰＵ１１が電子マネー支払手段に相当する。そして、前記支払管理ファイル１８０の「残り人数」から１を減算し、残り人数が１になったか否かを判別する（Ｓ２１３）。
【０１１３】
このＳ２１３で前記支払管理ファイル１８０の残り人数が１になっていないと判別すると（Ｓ２１３のＮｏ）、再度Ｓ２０９に戻り、支払方法に対応する置数を入力する。
【０１１４】
一方、このＳ２１３で前記支払管理ファイル１８０の残り人数が１になっていると判別すると（Ｓ２１３のＹｅｓ）、前記支払管理ファイル１８０の「グループ」端数の「支払フラグ」が「１」にセットされているか否かを判別する（Ｓ２１４）。
【０１１５】
このＳ２１４にて、「グループ」端数の前記支払フラグが「０」にセットされていると判別すると（Ｓ２１４のＮｏ）、前記ＲＡＭ１４の支払管理ファイル１８０から、電子マネーの支払済み金額と現金の支払残り金額を算出し、それぞれを前記ＲＡＭ１４の会計ファイル３０に記憶する（Ｓ２１６）。
【０１１６】
一方、前記Ｓ２１４にて「グループ」端数の前記支払フラグが「１」にセットされていると判別すると（Ｓ２１４のＹｅｓ）、前記Ｓ２０８で表示された支払方法に対応する「１」以外の置数が前記テンキーにより入力され、前記Ｓ２１２と同様に対応するソフトウェアを起動し、決済処理を行う（Ｓ２１５）。
【０１１７】
このＳ２１５で決済処理を完了すると、前記ＲＡＭ１４の支払管理ファイル１８０から、電子マネーの支払済み金額と現金の支払残り金額を算出し、それぞれを前記ＲＡＭ１４の会計ファイル３０に記憶する（Ｓ２１６）。
【０１１８】
そして、前記ＲＡＭ１４に記憶されているテーブルＩＤから印字データを作成し、この印字データを前記プリンタ２３に出力して、レシート用紙及びジャーナル用紙に上記印字データに基づく印字を行わせる（Ｓ２１７）。
【０１１９】
このＳ２１７にてテーブルＩＤを印字すると、前記会計ファイル３０とテーブルＩＤを前記ステーション４へ送信する（Ｓ２１８）。このＳ２１８の前記ＣＰＵ１１の処理とこのＣＰＵ１１の命令に従って前記会計ファイル３０を送信する前記通信インターフェース１５が支払金出力手段に相当する。
【０１２０】
そして、前記ＲＡＭ１４の前記会計ファイル３０、支払管理ファイル１８０などをクリアし処理を終了する。
【０１２１】
次に、以上のようなハードウェア構成を備え、上述のフローチャートに基づいた所定のデータ処理を行う無線注文管理システムにおける、前記電子マネー割勘装置２の動作について説明する。
【０１２２】
図７、図１８、図１９に示された割勘処理の動作を説明する。割勘処理の条件は、以下の通りである。
顧客らは５人で来店し、飲食の合計代金は２７２００円であるとする。また、この顧客らは２０００円分のサービス券を使用したものとし、この前記ＲＡＭ１４には２０００円引きのサービス券に対応する数値として「２」が記憶されている。端数の金額は２００円とし、残りの２５０００円を５人で均等割りし、１人が支払うべき割勘金額は５０００円であるとする。
【０１２３】
また、５人の内３人が電子マネーでの支払を希望し、残り２人が現金での支払を希望しているものとする。さらに、端数は現金で支払われるものとする。
【０１２４】
このため、前記ＲＡＭ１４の支払管理ファイル１８０には、「グループ」、「サービス券」、「電子マネー」、「現金」、「端数」に対応して、「支払金額」にそれぞれ「２０００」、「５０００」、「５０００」、「２００」が、「人数」に「１」、「３」、「２」、「１」が、「支払フラグ」に「０」、「１」、「０」、「０」が、「残り人数」には「６」が、顧客の操作によって記憶される。
【０１２５】
また、前記ＲＡＭ１４会計ファイル３０には、「現金支払残り」に対応して「１０２００」、「サービス券」に対応して「２」、「電子マネー支払済み」に対応して「１５０００」が記憶される。
【０１２６】
そして、顧客らが使用した前記電子マネー割勘装置にはテーブルＩＤ「１」が割り当てられているものとする。顧客が使用できる電子マネー記憶媒体は「Ａ媒体」、「Ｂ媒体」、「Ｃ媒体」であるとする。そして、電子マネーでの支払を希望している３人はそれぞれ「Ａ媒体」、「Ｂ媒体」、「Ｃ媒体」を一人ずつ選択したものとする。また、支払の順番は、「Ａ媒体」、「Ｂ媒体」、「Ｃ媒体」、「現金」、「現金」であるとする。
【０１２７】
まず、顧客は前記電子マネー割勘装置２の前記キーボード２０の合計キーを押下する。合計キーが押下されると前記電子マネー割勘装置によりテーブルＩＤである１と合計金額要求メッセージが前記ステーション４に送信される。
【０１２８】
このテーブルＩＤと合計金額要求メッセージとを受け取った前記ステーション４は、前記ＲＡＭ４４の前記注文記憶ファイル６０から、該当するテーブルＩＤが検索される。そして、該当するテーブルＩＤの小計金額から合計金額である２７２００が算出され、前記電子マネー割勘装置２に合計金額が返信される。
【０１２９】
そして、受信された合計金額２７２００は前記電子マネー割勘装置２の前記ＲＡＭ１４の合計金額と割勘対象金額に記憶される。
【０１３０】
そして、前記ＲＡＭ１４に記憶されている合計金額の２７２００は前記表示器２１に合計金額として表示され、前記ＲＡＭ１４に記憶されている割勘対象金額の２７２００は前記表示器２１に割勘対象金額としてそれぞれ表示される。
【０１３１】
次に顧客は、前記キーボード２０のサービス券キーを押下し、サービス券情報を前記表示器２１に表示させる。そして、表示されたサービス券情報の中から今回使用する「２０００円引き」に対応する数値である「２」を、前記テンキーを操作することにより入力する。
【０１３２】
サービス券情報が入力されると、合計金額である２７２００円からサービス券の金額２０００円を除算し、２５２００円が割勘対象金額として前記ＲＡＭ１４に記憶され、前記表示器２１に割勘対象金額２５２００円が表示される。
【０１３３】
次に顧客は、割勘を行う人数である「５」を、前記テンキーを用いて入力する。すると、前記ＲＡＭ１４に割勘人数として「５」が記憶され、さらに前記支払管理ファイル１８０の「残り人数」に「６」が記憶される。
【０１３４】
続いて、端数「２００」を入力し、前記上下キーにより前記表示器２１に表示されたカーソルを「現金」に移動させ、前記ＯＫキーを押下する。
【０１３５】
これらの入力が完了すると、前記計算キーを押下する。すると、割勘対象金額「２５２００」と割勘人数「５」を除算する。その結果、一人当りの割勘金額が「５０００」、端数が「２００」と算出され、それぞれが前記ＲＡＭ１４の支払管理ファイル１８０に記憶され、前記表示器２１に表示される。そして、これを目視した顧客は前記ＯＫキーを押下する。このＯＫキーが押下されると、図２０に示すように、使用できる電子マネー記憶媒体と共に前記表示器２１に表示される。
【０１３６】
そして、選択画面が表示されると顧客の１人は「Ａ媒体」を使用することを希望しているので、対応する値「２」を、前記テンキーを用いて入力する。すると、「Ａ媒体」を読み取るためのソフトウェアが起動され、顧客は前記非接触カードＲ／Ｗに電子マネー記憶媒体を近づけて決済を行う。そして、前記ＲＡＭ１４の支払管理ファイル１８０の「グループ」電子マネーに対応する「人数」に「１」を加算する。
【０１３７】
「Ａ媒体」の決済が完了すると前記ＲＡＭ１４の支払管理ファイル１８０の「残り人数」に記憶されている「６」から「１」を減算し、新たに「５」を記憶する。そして、前記支払管理ファイル１８０の「残り人数」が「１」でないので、続いて顧客は置数「２」を入力し「Ｂ媒体」を読み取るソフトウェアが起動し、決済処理を行う。「Ｃ媒体」も同様である。
【０１３８】
電子マネーでの支払を終えると、現金での支払を希望する顧客は置数「１」を押下する。置数「１」が入力されると、前記支払管理ファイル１８０の「グループ」現金の「人数」「０」に１が加算される。また、「残り人数」に記憶されている置数「３」から、「１」を減算し、減算結果である「２」を新たに記憶する。そして、前記支払管理ファイル１８０の「残り人数」が「１」ではないので、顧客は再度置数「１」を入力する。そして、「グループ」現金に対応する「人数」が「２」になり、「残り人数」から１を減算する。
【０１３９】
「残り人数」が「１」になったので、前記支払管理ファイル１８０の「グループ」現金に対応する「支払金額」５０００と「人数」２の乗算結果１００００と、「グループ」端数に対応する「支払金額」２００と「人数」１の乗算結果２００との和、「１０２００」を前記ＲＡＭ１４の会計ファイル３０の現金支払残りに記憶する。また、サービス券のＩＤ「２」を前記会計ファイル３０のサービス券に記憶し、「グループ」電子マネーに対応する「支払金額」５０００と「人数」３の乗算結果１５０００を前記会計ファイル３０の電子マネー支払済みに記憶する。そして、前記会計ファイル３０の更新が完了すると、この会計ファイル３０を前記ステーション４へ送信される。この会計ファイル３０を受信した前記ステーション４は、精算ファイルに受信した内容を記憶する。
【０１４０】
そして、前記ＲＡＭ１４に記憶されているテーブルＩＤが印字される。そして、テーブルＩＤが印字されるので、これを持ってＰＯＳ端末へと顧客は向かう。また、テーブルＩＤを印字すると、前記ＲＡＭ１４の前記会計ファイル３０、支払管理ファイル１８０などをクリアし前記電子マネー割勘装置２の処理が終了される
【０１４１】
本発明によれば、電子マネーで支払う人数を入力するする必要はない。このため、幹事などが電子マネーの支払人数を予め数えて入力するという手間を省くことができるので、顧客の利便性を向上させることができる。
【０１４２】
以上、本発明の実施の形態について詳述したが、本発明はこの実施形態に限られるものではなく、本発明の要旨を逸脱しない範囲の設計変更があっても本発明に含まれる。例えば、以下のような場合が考えられる。
【０１４３】
例えば、本発明のサービス券は現物でなくともよい。例えば、携帯電話などにサービス券を記憶させておき、それを前記非接触端末Ｒ／Ｗ２２で読み取ることにより電子的に処理することも考えられる。この場合、実施例１で述べた前記Ｓ１１での端数の支払方法と同様に、顧客に支払方法を決定させ、前記支払残りファイル３５の「支払フラグ」で管理すればよい。
【０１４４】
また、実施例１では前記Ｓ１２で電子マネーの支払人数を入力しているが、この電子マネーの支払人数が入力されたか否かの判別手段を新たに設け、入力されないと判別されたなら、以下の処理は実施例２に切り替えることも考えられる。
【０１４５】
また、実施例１と実施例２ともに、割勘処理が終了したならテーブルＩＤを印字すると記載したが（前記Ｓ２５、Ｓ２１７）、このときテーブルＩＤのみでなく、図２１に示すように、電子マネー支払済み人数、電子マネー支払済み金額、現金支払人数、未精算金額、サービス券内容をテーブルＩＤと共に印字してもよい。これにより、顧客は入力内容の確認が行え、また接客係は印刷された内容を見ることによりＰＯＳ端末を操作して取得したデータを確認することができる。また、未精算金額が印字されるので、この前記ＣＰＵ１１と前記プリンタ２３の処理は出力手段に相当すると考えられる。
【０１４６】
また、各テーブルに配置され顧客が注文情報を入力するセルフオーダーターミナルと前記電子マネー割勘装置２を一体にしてもよい。
【図面の簡単な説明】
【０１４７】
【図１】本発明の一実施形態の無線注文管理システムの全体図
【図２】本発明の一実施形態の電子マネー割勘装置のブロック図
【図３】本発明の一実施形態のＲＡＭに記憶される会計ファイル
【図４】本発明の一実施形態のＲＡＭに記憶される支払残りファイル
【図５】本発明の一実施形態のステーションのブロック図
【図６】本発明の一実施形態のＲＡＭに記憶される注文記憶ファイル
【図７】本発明の一実施形態のＲＡＭに記憶される精算ファイル
【図８】本発明の一実施形態の電子マネー割勘装置の割勘処理におけるフローチャート〔１〕
【図９】本発明の一実施形態の電子マネー割勘装置の割勘処理におけるフローチャート〔２〕
【図１０】本発明の一実施形態の電子マネー割勘装置の割勘処理におけるフローチャート〔３〕
【図１１】本発明の一実施形態の電子マネー割勘装置の表示器に表示される合計金額表示画面
【図１２】本発明の一実施形態の電子マネー割勘装置の表示器に表示されるサービス券選択画面
【図１３】本発明の一実施形態の電子マネー割勘装置の表示器に表示される電子マネー記憶媒体選択画面
【図１４】本発明の一実施形態のＰＯＳ端末のブロック図
【図１５】本発明の一実施形態のＲＡＭに記憶される取引履歴ファイル
【図１６】本発明の一実施形態のＰＯＳ端末の締め処理におけるフローチャート
【図１７】本発明の一実施形態のＲＡＭに記憶される支払管理ファイル
【図１８】本発明の一実施形態の電子マネー割勘装置の割勘処理におけるフローチャート〔４〕
【図１９】本発明の一実施形態の電子マネー割勘装置の割勘処理におけるフローチャート〔５〕
【図２０】本発明の一実施形態の電子マネー割勘装置の表示器に表示される支払方法選択画面
【図２１】本発明の一実施形態の電子マネー割勘装置にて印字される印字図
【符号の説明】
【０１４８】
２  電子マネー割勘装置、
４  ステーション、
６  ＰＯＳ端末、
１１  ＣＰＵ、
１４  ＲＡＭ、
２１  表示器、
２２  非接触端末リーダ／ライタ、
３０  会計ファイル、
３５  支払残りファイル、
４４  ＲＡＭ、
７０  精算ファイル、
１８０  支払管理ファイル  
【図１】
2009086770.tif 000003
【図２】
2009086770.tif 000004
【図３】
2009086770.tif 000005
【図４】
2009086770.tif 000006
【図５】
2009086770.tif 000007
【図６】
2009086770.tif 000008
【図７】
2009086770.tif 000009
【図８】
2009086770.tif 000010
【図９】
2009086770.tif 000011
【図１０】
2009086770.tif 000012
【図１１】
2009086770.tif 000013
【図１２】
2009086770.tif 000014
【図１３】
2009086770.tif 000015
【図１４】
2009086770.tif 000016
【図１５】
2009086770.tif 000017
【図１６】
2009086770.tif 000018
【図１７】
2009086770.tif 000019
【図１８】
2009086770.tif 000020
【図１９】
2009086770.tif 000021
【図２０】
2009086770.tif 000022
【図２１】
2009086770.tif 000023
【手続補正書】
【提出日】平成20年9月11日(2008.9.11)
【手続補正１】
【補正対象書類名】明細書
【補正対象項目名】００２０
【補正方法】変更
【補正の内容】
【００２０】
前記非接触端末Ｒ／Ｗコントローラ１８は、前記ＣＰＵ１１などからの命令に応じて前記非接触端末Ｒ／Ｗ２２が図示しない非接触電子マネー端末から受信したデータを前記バスライン１２に送出し、前記バスライン１２から受け取ったデータを前記非接触端末Ｒ／Ｗ２２を介して図示しない非接触電子マネー端末への送信の制御を行う。これら一連の前記ＣＰＵ１１の制御が、電子マネー読取り手段に相当する。また、前記非接触端末Ｒ／Ｗコントローラ１８と前記非接触端末Ｒ／Ｗ２２とが読取り部に相当する。なお、非接触電子マネー端末は、非接触ＩＣカードや、非接触ＩＣカードの機能を搭載した携帯電話などの電子マネー記憶媒体が考えられる。
【手続補正２】
【補正対象書類名】明細書
【補正対象項目名】００２４
【補正方法】変更
【補正の内容】
【００２４】
前記注文記憶ファイル６０は、一取引の料理の注文情報をテーブルＩＤごとに記憶する。注文情報は前記ハンディターミナル１から入力される。そして、この注文記憶ファイル６０は図６に示すようにテーブルＩＤごとに、顧客が注文した料理の識別コードとこの識別コードに対応する料理名、単価に加えて当該料理の注文点数、当該料理の小計金額とを記憶するものである。また、小計金額の合計である合計金額を記憶する。この合計金額は、前記電子マネー割勘装置２からテーブルＩＤと合計金額要求メッセージを受信したときに計算される。
【手続補正３】
【補正対象書類名】明細書
【補正対象項目名】００３４
【補正方法】変更
【補正の内容】
【００３４】
続いて、サービス券キーが押下されたか否かの判別を行う（Ｓ５）。サービス券キーが押下されたと判別されたなら（Ｓ５のＹｅｓ）、現在店舗で使用できるサービス券の情報を前記ＲＡＭ１４から読み出し、図１２に示すように昇順の番号を割り付けてその一覧を前記表示器２１に表示する（Ｓ６）。そして、サービス券に対応する数値が入力されると、入力されたサービス券のＩＤを前記ＲＡＭ１４の会計ファイル３０に記憶し、割引金額を前記支払残りファイル３５の「グループ」サービス券に対応する「支払金額」に記憶する（Ｓ７）。なお、前記Ｓ５にて操作される前記サービス券キーと前記Ｓ７にて操作される前記テンキーとにより入力処理を行う前記ＣＰＵ１１と、前記Ｓ６と前記Ｓ７にて前記ＣＰＵ１１の命令を受けて動作する前記表示器２１と前記ＲＡＭ１４とが割引情報入力手段に相当する。
【手続補正４】
【補正対象書類名】明細書
【補正対象項目名】００３５
【補正方法】変更
【補正の内容】
【００３５】
そして、前記ＲＡＭ１４の支払残りファイル３５のサービス券の金額を、前記ＲＡＭ１４に記憶されている合計金額から減算し、割勘対象金額として新たに前記ＲＡＭ１４に記憶する（Ｓ８）。そして、算出された新たな割勘対象金額を前記表示器２１の割勘対象金額に対応するテキストフィールドに表示する（Ｓ９）。その後、割勘を行う人数である割勘人数が入力され前記ＲＡＭ１４に記憶される（Ｓ１０）（図９参照）。なお、このＳ１０における電子マネーの支払を希望する人数を入力する前記テンキーと前記ＣＰＵ１１の処理とこのＣＰＵ１１の命令により入力された値を記憶する前記ＲＡＭ１４とが人数入力手段に相当する。
【手続補正５】
【補正対象書類名】明細書
【補正対象項目名】００３６
【補正方法】変更
【補正の内容】
【００３６】
一方、前記Ｓ５において、サービス券キーが押下されないと判別すると（Ｓ５のＮｏ）、割勘を行う人数である割勘人数が入力され、前記ＲＡＭ１４に記憶される（Ｓ１０）。前記Ｓ１０にて割勘人数が入力されると、続いて端数の金額と支払方法が入力され前記ＲＡＭ１４に記憶する（Ｓ１１）。なお、端数の金額は前記テンキーにより入力され、支払方法は上下キーにより前記表示器２１に表示されたカーソルを「現金」「電子」のどちらかに移動させ、ＯＫキーを押下することにより入力される。このＳ１１で入力された金額に最も近くかつ端数以下になるように、余りの金額が計算される。また、「電子マネー」が選択された場合、前記支払残りファイル３５の「グループ」端数に対応する「支払フラグ」を０から１にセットする。
【手続補正６】
【補正対象書類名】明細書
【補正対象項目名】００４６
【補正方法】変更
【補正の内容】
【００４６】
そして、前記非接触端末Ｒ／Ｗ２２を介して、電子マネー記憶媒体が記憶している金額と今回取引の割勘金額とで減算を行い、決済処理を完了する。決済処理が完了すると起動したソフトウェアを終了する。そして、前記支払残りファイル３５の「グループ」電子マネーの、残り人数から１を減算し、前記表示器２１に表示する（Ｓ２２）。このＳ２２における、前記ＣＰＵ１１の命令により前記非接触端末Ｒ／Ｗ２２を介して行われる決済処理が、電子マネー決済手段に相当する。
【手続補正７】
【補正対象書類名】明細書
【補正対象項目名】００５５
【補正方法】変更
【補正の内容】
【００５５】
図１５は前記取引履歴ファイル１７０である。この取引履歴ファイル１７０は、料理の識別コードごとに、単価、当該料理の総売上点数、当該料理の小計金額を記憶する。一取引ごとにこの取引履歴ファイル１７０は更新される。
【手続補正８】
【補正対象書類名】明細書
【補正対象項目名】００６１
【補正方法】変更
【補正の内容】
【００６１】
一方、このＳ１０３にて送信したテーブルＩＤに対応する、前記注文記憶ファイル６０と前記精算ファイル７０とを受信したと判別したなら（Ｓ１０３のＹｅｓ）、前記注文記憶ファイル６０と前記精算ファイル７０を前記ＲＡＭ１４４に記憶する（Ｓ１０４）。このＳ１０２からＳ１０４までの前記ＣＰＵ１４１の処理とこのＣＰＵ１４１の命令に従って動作する前記ＲＡＭ１４４と前記有線通信インターフェース１４５とが取得手段に相当する。
【手続補正９】
【補正対象書類名】明細書
【補正対象項目名】００７１
【補正方法】変更
【補正の内容】
【００７１】
また、前記ＲＡＭ１４の会計ファイル３０には、「現金支払残り」に対応して「１０２００」、「サービス券」に対応して「２」、「電子マネー支払済み」に対応して「１５０００」が記憶される。
【手続補正１０】
【補正対象書類名】明細書
【補正対象項目名】００７２
【補正方法】変更
【補正の内容】
【００７２】
そして、顧客らが使用した前記電子マネー割勘装置２にはテーブルＩＤ「１」が割り当てられているものとする。顧客が使用できる電子マネー記憶媒体は「Ａ媒体」、「Ｂ媒体」、「Ｃ媒体」「Ｄ媒体」であるとする。そして、電子マネーでの支払を希望している３人はそれぞれ「Ａ媒体」、「Ｂ媒体」、「Ｃ媒体」を選択したものとする。
【手続補正１１】
【補正対象書類名】明細書
【補正対象項目名】００７３
【補正方法】変更
【補正の内容】
【００７３】
まず、顧客は前記電子マネー割勘装置２の前記キーボード２０の合計キーを押下する。合計キーが押下されると前記電子マネー割勘装置２によりテーブルＩＤである１と合計金額要求メッセージを前記ステーション４に送信される。
【手続補正１２】
【補正対象書類名】明細書
【補正対象項目名】００８１
【補正方法】変更
【補正の内容】
【００８１】
そして、選択画面が表示されると顧客の１人は「Ａ媒体」を使用することを希望しているので、対応する値「１」を、前記テンキーを用いて入力する。すると、「Ａ媒体」を読み取るためのソフトウェアが起動し、顧客は前記非接触端末Ｒ／Ｗ２２に電子マネー記憶媒体を近づけて決済を行う。
【手続補正１３】
【補正対象書類名】明細書
【補正対象項目名】００８３
【補正方法】変更
【補正の内容】
【００８３】
そして、「電子マネー」の「残り人数」が０になったと判別されると、前記ＲＡＭ１４の支払残りファイル３５から、割勘金額「５０００」と「電子マネー」の「人数」に記憶されている「３」を乗算し、「１５０００」を前記会計ファイル３０の電子マネー支払済みに記憶する。さらに、割勘金額「５０００」と「現金」の「人数」に記憶されている「２」を乗算した結果である「１００００」と、端数「２００」の和「１０２００」を「現金支払残り」に記憶し、この会計ファイル３０を前記ステーション４へ送信される。この会計ファイル３０を受信した前記ステーション４は、精算ファイル７０に受信した内容を記憶する。
【手続補正１４】
【補正対象書類名】明細書
【補正対象項目名】００８４
【補正方法】変更
【補正の内容】
【００８４】
そして、前記ＲＡＭ１４に記憶されているテーブルＩＤが印字される。そして、テーブルＩＤが印字されるので、この印字された紙を持ってＰＯＳ端末６へと顧客は向かう。また、テーブルＩＤを印字すると、前記ＲＡＭ１４の前記会計ファイル３０や支払残りファイル３５などをクリアし、前記電子マネー割勘装置２の処理が終了される。
【手続補正１５】
【補正対象書類名】明細書
【補正対象項目名】００８６
【補正方法】変更
【補正の内容】
【００８６】
図１６に示された精算処理の動作を説明する。精算処理の条件は、以下の通りである。
前記ステーション４の精算ファイル７０のテーブルＩＤには１、現金支払残りには１０２００、サービス券には２、電子マネー支払済みには１５０００が記憶されている。
【手続補正１６】
【補正対象書類名】明細書
【補正対象項目名】００８７
【補正方法】変更
【補正の内容】
【００８７】
そして、顧客は前記電子マネー割勘装置２を操作して、テーブルＩＤである１が印字された紙を、前記ＰＯＳ端末６を操作する接客係に手渡したものとする。
【手続補正１７】
【補正対象書類名】明細書
【補正対象項目名】００９９
【補正方法】変更
【補正の内容】
【００９９】
図２は前記電子マネー割勘装置２のブロック図である。この電子マネー割勘装置２には、構成は実施例１とほぼ同様である。前記ＲＡＭ１４に記憶する内容が、前記支払残りファイル３５に代えて、支払管理ファイル１８０を記憶する。また、前記キーボード２０に終了キーが追加されている。このため、以下支払管理ファイル１８０と送信キーについて説明する。
【手続補正１８】
【補正対象書類名】明細書
【補正対象項目名】０１１０
【補正方法】変更
【補正の内容】
【０１１０】
そして、置数「１」が入力されたと判別すると（Ｓ２１０のＹｅｓ）、前記支払管理ファイル１８０の「グループ」現金の、人数に１を加算・更新する（Ｓ２１１）。このＳ２１１における前記ＲＡＭ１４の支払管理ファイル１８０の更新処理を行っている前記ＣＰＵ１１が現金支払記憶手段に相当する。そして、前記支払管理ファイル１８０の「残り人数」から１を減算し、残り人数が１になったか否かを判別する（Ｓ２１３）。
【手続補正１９】
【補正対象書類名】明細書
【補正対象項目名】０１１２
【補正方法】変更
【補正の内容】
【０１１２】
そして、入力された値に対応する電子マネー記憶媒体を読み取るための前記ＲＯＭ１３に記憶している専用のソフトウェアを起動する。そして、前記非接触端末Ｒ／Ｗ２２から、電子マネー記憶媒体が記憶している支払可能な金額が入力され決済処理を行い、決済処理を完了すると起動したソフトウェアを終了する（Ｓ２１２）。このＳ２１２にて前記非接触端末Ｒ／Ｗ２２を制御し決済処理を行っている前記ＣＰＵ１１が電子マネー支払手段に相当する。そして、前記支払管理ファイル１８０の「残り人数」から１を減算し、残り人数が１になったか否かを判別する（Ｓ２１３）。
【手続補正２０】
【補正対象書類名】明細書
【補正対象項目名】０１２５
【補正方法】変更
【補正の内容】
【０１２５】
また、前記ＲＡＭ１４の会計ファイル３０には、「現金支払残り」に対応して「１０２００」、「サービス券」に対応して「２」、「電子マネー支払済み」に対応して「１５０００」が記憶される。
【手続補正２１】
【補正対象書類名】明細書
【補正対象項目名】０１３６
【補正方法】変更
【補正の内容】
【０１３６】
そして、選択画面が表示されると顧客の１人は「Ａ媒体」を使用することを希望しているので、対応する値「２」を、前記テンキーを用いて入力する。すると、「Ａ媒体」を読み取るためのソフトウェアが起動され、顧客は前記非接触端末Ｒ／Ｗ２２に電子マネー記憶媒体を近づけて決済を行う。そして、前記ＲＡＭ１４の支払管理ファイル１８０の「グループ」電子マネーに対応する「人数」に「１」を加算する。
【手続補正２２】
【補正対象書類名】明細書
【補正対象項目名】０１３９
【補正方法】変更
【補正の内容】
【０１３９】
「残り人数」が「１」になったので、前記支払管理ファイル１８０の「グループ」現金に対応する「支払金額」５０００と「人数」２の乗算結果１００００と、「グループ」端数に対応する「支払金額」２００と「人数」１の乗算結果２００との和、「１０２００」を前記ＲＡＭ１４の会計ファイル３０の現金支払残りに記憶する。また、サービス券のＩＤ「２」を前記会計ファイル３０のサービス券に記憶し、「グループ」電子マネーに対応する「支払金額」５０００と「人数」３の乗算結果１５０００を前記会計ファイル３０の電子マネー支払済みに記憶する。そして、前記会計ファイル３０の更新が完了すると、この会計ファイル３０を前記ステーション４へ送信される。この会計ファイル３０を受信した前記ステーション４は、精算ファイル７０に受信した内容を記憶する。
【手続補正２３】
【補正対象書類名】明細書
【補正対象項目名】０１４０
【補正方法】変更
【補正の内容】
【０１４０】
そして、前記ＲＡＭ１４に記憶されているテーブルＩＤが印字される。そして、テーブルＩＤが印字されるので、これを持ってＰＯＳ端末６へと顧客は向かう。また、テーブルＩＤを印字すると、前記ＲＡＭ１４の前記会計ファイル３０、支払管理ファイル１８０などをクリアし前記電子マネー割勘装置２の処理が終了される。